(57)【要約】【課題】吸水性、吸油性、および強度を保ちつつ、巻き取りの際にしわや折れを生じさせないロール状に巻き取られた衛生用紙を提供する。【解決手段】本発明は、複数の凸部が形成された第１のシートと、複数の凸部が形成された第２のシートとをこれらの凸部の頂面が重ね合わせ、前記凸部の頂面を介して前記第１のシートおよび第２のシートが接合されてロール状に巻き取られる衛生用紙を提供する。【選択図】図１
2019157319.tif 000002
【特許請求の範囲】
【請求項１】
複数の凸部が形成された第１のシートと、複数の凸部が形成された第２のシートとを重ね合わせ、前記凸部の頂面を介して前記第１のシートおよび第２のシートが接合されてロール状に巻き取られる衛生用紙であって、
前記衛生用紙の面積Ｓにおける前記第１のシートおよび第２のシートの一方の凸部の頂面が他方のシートに接合している面積Sｃの割合Ｓｃ／Ｓの平均が５％〜２０％であることを特徴とする衛生用紙。
【請求項２】
複数のエンボスを形成した第１のエンボス領域および前記第１のエンボス領域に隣接する第１の非エンボス領域を有する第１のシートと、
複数のエンボスを形成した第２のエンボス領域および前記第２のエンボス領域に隣接する第２の非エンボス領域を有する第２のシートとを重ね合わせ、前記エンボスの頂面を介して前記第１のシートおよび第２のシートが接合されてロール状に巻き取られる衛生用紙であって
前記衛生用紙の面積Ｓにおける前記第１の非エンボス領域と前記第２の非エンボス領域との重なり部分の面積Ｓａの割合Ｓａ／Ｓの平均が１０％〜３５％であることを特徴とする衛生用紙。
【請求項３】
前記非エンボス領域は、前記エンボスの外接円の直径ａの１．０倍以上の間隔でエンボスが形成されていないことを特徴とする請求項２に記載の衛生用紙。
【請求項４】
前記第１のシートと前記第２のシートはネステッド形式で積層していることを特徴とする請求項１〜３のいずれか一項に記載の衛生用紙。
【請求項５】
前記第１のシートと前記第２のシートはティップトゥティップ形式で積層していることを特徴とする請求項１〜３のいずれか一項に記載の衛生用紙。
【請求項６】
前記エンボス領域と前記非エンボス領域は、少なくともその一部が、前記衛生用紙の巻き取り方向に沿って、交互に配置されることを特徴とする請求項２に記載の衛生用紙。
【請求項７】
前記エンボス領域と前記非エンボス領域が
前記衛生用紙の巻き取り方向に沿って交互に配置された部分において、
前記エンボス領域の前記衛生用紙の巻き取り方向の幅が１０ｃｍ以下である
ことを特徴とする請求項６に記載の衛生用紙。
【請求項８】
前記非エンボス領域は、前記衛生用紙の巻き取り方向または前記巻き取り方向に対して垂直な方向の少なくともいずれか一方向において、一端からもう一端へ屈曲しながら連通していることを特徴とする請求項２に記載の衛生用紙。
【請求項９】
前記エンボスが三角形状であることを特徴とする請求項２に記載の衛生用紙。
【請求項１０】
前記エンボス領域が略六角形を形成することを特徴とする請求項２に記載の衛生用紙。
【請求項１１】
前記衛生用紙はキッチンペーパーであることを特徴とする請求項１〜１０のいずれか一項に記載の衛生用紙。
【発明の詳細な説明】
【技術分野】
【０００１】
本発明は、衛生用紙に関し、特にエンボス加工されているキッチンペーパーに関する。
【背景技術】
【０００２】
ふきん、タオルの代用品としてパルプ繊維を主原料として製造されるペーパータオルのうち、主にキッチンにおいて、肉、魚、野菜などの水切り、油切り、まな板の上敷、食器の拭き取り、フライパンの油拭き、ガスレンジ、換気扇の手入れ、食卓の汚れ拭き、などの用途に使用されるものは、特にキッチンペーパー（クッキングペーパーも含む）とも呼ばれ、家庭用紙の一品種として広く知られている。
【０００３】
上記のような用途から、キッチンペーパーは高い吸水性および吸油性が求められている。キッチンペーパーの吸水／吸油性を向上させるため、エンボス加工をしたクレープ紙のエンボス凸部の頂部同士を対面させて接着したティップトウティップ形式の積層構造（特許文献１）、および一方のクレープ紙のエンボス凸部が他方のクレープ紙の非エンボス凸部に位置するように互い違いに位置させ接着したネステッド形式の積層構造（特許文献２および特許文献３参照）が知られている。
【先行技術文献】
【特許文献】
【０００４】
【特許文献１】特開２０１３−２０８２９８号公報
【特許文献２】特開２０１７−１７９６７４号公報
【特許文献３】特開２０１７−６３８９５号公報
【発明の概要】
【発明が解決しようとする課題】
【０００５】
このような積層構造を有する２プライタイプのキッチンペーパーの製品形態の一つに、長尺の衛生用紙を紙製の管芯等に巻き取ったロールペーパーの形態がある。２プライの衛生用紙をロール状に巻き取る場合、内側と外側のシートでは1回転ごとの巻き取り距離に差があるため、徐々にずれが生じて、使用時の妨げとなるしわや折れが生じるおそれがある。また、エンボス凸部が接着した箇所は可動性に乏しく、巻き取られたシートにひっぱりやゆがみを生じさせるおそれがある。
【０００６】
そこで、本発明の目的は、吸水性、吸油性、および強度を保ちつつ、巻き取りの際にしわや折れを生じさせないロール状に巻き取られた衛生用紙を提供することである。
【課題を解決するための手段】
【０００７】
本発明者らは、上記課題を解決すべく鋭意検討した結果、複数の凸部が形成された第１のシートと、複数の凸部が形成された第２のシートとを重ね合わせ、前記凸部の頂面を介して前記第１のシートおよび第２のシートが接合されてロール状に巻き取られる衛生用紙を提供することによって上記課題が解決できることを見出し、本発明に至った。
【０００８】
本発明の衛生用紙は、複数の凸部が形成された第１のシートと、複数の凸部が形成された第２のシートとを重ね合わせ、前記凸部の頂面を介して前記第１のシートおよび第２のシートが接合されてロール状に巻き取られる衛生用紙であって、
前記衛生用紙の面積Sにおける前記第１のシートおよび第２のシートの一方の凸部の頂面が他方のシートに接合している面積Ｓｃの割合Ｓｃ／Ｓの平均が５％〜２０％であることを特徴とする。
【０００９】
また、他の実施態様において、本発明の衛生用紙は、複数のエンボスを形成した第１のエンボス領域および前記第１のエンボス領域に隣接する第１の非エンボス領域を有する第１のシートと、
複数のエンボスを形成した第２のエンボス領域および前記第２のエンボス領域に隣接する第２の非エンボス領域を有する第２のシートとを重ね合わせ、前記エンボスの頂面を介して前記第１のシートおよび第２のシートが接合されてロール状に巻き取られる衛生用紙であって
前記衛生用紙の面積Ｓにおける前記第１の非エンボス領域と前記第２の非エンボス領域との重なり部分の面積Ｓａの割合Ｓａ／Ｓの平均が１０％〜３５％であることを特徴とする。
【発明の効果】
【００１０】
本発明によれば、吸液性が高く、かつ拭き取りおよびかきとり性が高く、使いやすい衛生用紙が提供できる。
【図面の簡単な説明】
【００１１】
【図１】本発明による衛生用紙の全体図である。
【図２】本発明による衛生用紙の斜視図およびその拡大図である。
【図３】本発明による衛生用紙のエンボス加工の拡大図である。
【図４】本発明による衛生用紙のエンボス加工の断面図である。
【図５】本発明による他の実施態様の衛生用紙の平面図である。
【発明を実施するための形態】
【００１２】
以下、本発明の実施の形態について説明するが、本発明は以下の実施の形態に限定されるものではない。
【００１３】
本発明は、複数の凸部が形成された第１のシートと、複数の凸部が形成された第２のシートとを重ね合わせ、前記凸部の頂面を介して前記第１のシートおよび第２のシートが接合されて、ロール状に巻き取られる衛生用紙に関する。
【００１４】
図１は本発明の一実施態様を示す。図１は、２プライの長尺の衛生用紙（キッチンペーパー）１０が紙製の管芯に巻き取られたロールペーパー１００を示す。当該キッチンペーパー１０は、複数の凸部が形成された第１のシート２０Ａと、複数の凸部が形成された第２のシート２０Ｂとが、第１のシートおよび第２のシートの凸部の頂面が対面となる方向で重ね合わせられ、前記凸部の頂面を介して接合されている（図４（ａ）および（ｂ）参照）。当該接合部は、好ましくは、前記凸部の頂面に接着剤が塗布され、他のシートに接着している。
【００１５】
当該凸部のうち、他のシートと接合された頂面の面積をＳｃとすると、本発明において、キッチンペーパー１０の平面視での面積Ｓにおける面積Ｓｃの割合Ｓｃ／Ｓの平均は５％〜２０％である。Ｓｃ／Ｓが５％より大きい場合、当該キッチンペーパー１０の接合に関与しない表面が巻き取り時のシートのひっぱりやゆがみを吸収するのに十分な大きさとなる。一方、Ｓｃ／Ｓが２０％より小さい場合には、シート間に十分な接合面積が確保され、使用時に十分な強度と吸収性を付与することができる。好ましくは５％〜１２％である。
【００１６】
本発明のキッチンペーパー１０を構成するクレープ紙の坪量は、１５〜２５ｇ／ｍ２であるのが望ましい。より好ましくは１９〜２３ｇ／ｍ２である。なお、坪量は、ＪＩＳ  Ｐ  ８１２４（１９９８）による。この坪量の範囲は、水、油などに対する吸収性を発揮する。さらに、上記坪量の範囲内であれば、拭き取り操作の際の柔らかさ、拭き取り面に対する追従性といったキッチンペーパーが、本来必要とする効果も十分なものとなる。ここで、本発明に係るクレープ紙の１枚当たりの坪量の測定に関しては、積層構造となっているキッチンペーパーの坪量を測定し、これを積層枚数、すなわち２枚で割った数値とする。
【００１７】
また、クレープ紙は、繊維材料がパルプ繊維であり、パルプ組成は、キッチンペーパーにおける既知の組成が採用できる。バージンパルプを９０〜１００質量％を含むのがよい。本発明特有の効果が顕著となるパルプ組成は、ＮＢＫＰ（針葉樹クラフトパルプ）やＮＵＫＰ（針葉樹未晒しパルプ）などの針葉樹パルプと、ＬＢＫＰ（広葉樹クラフトパルプ）やＬＵＫＰ（広葉樹未晒しパルプ）などの広葉樹パルプと、を適宜の比率で配合したものである。特に、針葉樹パルプ：広葉樹パルプの比が２５：７５〜５０：５０であるのがよい。
【００１８】
本発明に係るキッチンペーパー１０の紙厚は、特に限定されない。本発明のキッチンペーパーがキッチンペーパーの場合、２プライの紙厚の参考値としては、下記測定方法により測定されるもので４０〜７８０μｍである。この紙厚の範囲であれば、キッチンペーパーの一般的製品態様であるロール状、束状とした際に過度に嵩高とならず、また、本願発明のエンボス構成による効果、さらにキッチンペーパーとして使用する際の厚み感や強度も十分に発現する。係る紙厚の測定方法は、ＩＳＯ１２６２５−３に準じて測定する。
【００１９】
本発明に係るキッチンペーパーの巻密度は特に限定されないが、好ましくは０．０４３〜０．１３２ｇ／ｃｍ３である。巻密度は、（ロール重量）÷（ロールの断面積）で表される。ロール重量は管芯を含まない重量であり、ロールの断面積は、｛ロールの外径（巻直径Ｌ１）部分の断面積｝−（管芯外径部分の断面積）で表される。管芯外径Ｌ４は、ロールの中心孔の直径である。
【００２０】
また、ロールペーパー１００は、長手方向に長さＬ５ずつにミシン目等の脆弱線３０を有してもよく、使用時に任意の脆弱線３０で切り取って使用されてもよい。
【００２１】
図２ａは、本発明のロールペーパー１００から、長手方向に長さＬ５で切り取られた１枚のキッチンペーパー１０を示す。
【００２２】
本発明の一実施態様において、複数の凸部は、エンボスであってもよい。また、本発明のキッチンペーパーは、複数のエンボスを形成した第１のエンボス領域および前記第１のエンボス領域に隣接する第１の非エンボス領域を有する第１のシート２０Ａと、複数のエンボスを形成した第２のエンボス領域および前記第２のエンボス領域に隣接する第２の非エンボス領域を有する第２のシート２０Ｂとが、これらのエンボスの頂面が相互に対面するように重ね合わせ、前記エンボスの頂面を介して前記第１のシートおよび第２のシートが接合されてロール状に巻き取られるキッチンペーパーであってもよい。
【００２３】
本発明のエンボス領域は、複数のエンボスが形成された領域である。エンボスは多角形状であり、例えば三角形、四角形、五角形、または六角形であってもよい。好ましくは、三角形状である。また、エンボスは同一のエンボス領域内で、または単一のキッチンペーパー内で、単一の形状であってもよく、または複数の形状を有してもよい。
【００２４】
一つのエンボスの凸部の高さは、２８０μｍ〜５９０μｍである。エンボスがこのような高さを有する場合、テーブル等の接触対象との間に空間を有することができ、十分な吸液性を有することができる。エンボスは同一のエンボス領域内で、または単一のキッチンペーパー内で、単一の高さを有してもよく、または複数の異なる高さを有してもよい。
【００２５】
一つのエンボスの面積は０．６２ｍｍ２〜１．７３ｍｍ２であり、好ましくは０．７３ｍｍ２〜１．４０ｍｍ２である。エンボスの面積が１．４０ｍｍ２より大きいと、汚れのかきとり性能が低下する。また、エンボスの面積が０．７３ｍｍ２より小さい場合も、汚れに対する抵抗が小さくなり、汚れのかきとり性能が低下する。エンボスは同一のエンボス領域内で、または単一のキッチンペーパー内で、個々に同一の面積であってもよく、または複数の異なる面積を有してもよい。
【００２６】
エンボス領域内で、エンボスは互いに１．５ｍｍ〜３．０ｍｍ離間して位置する。エンボスの離間間隔が２．０ｍｍ以上の場合には、エンボス間に汚れが保持され、十分なかきとり性能を有することができる。エンボス領域内での各エンボスの離間間隔は、エンボスの多角形の外接円の直径ａの１．０倍未満が好ましい（図３参照）。
【００２７】
本発明のエンボス領域は、複数のエンボスが多角形状に配置され、形成される。本発明のキッチンペーパーを折り曲げて使用する場合、非エンボス領域で折り曲げられやすい。そのため、エンボス領域の多角形状の角の数が多いほど、種々の方向に容易に折り曲げることができる。一方、エンボス領域の多角形状の角の数が少ないほうが、エンボス領域内のエンボスを密に形成することができる。エンボス領域の形状は、例えば、三角形、四角形、五角形、または六角形であってもよい（図１および図５参照）。好ましくは、六角形状である。また、エンボス領域の形状は単一のキッチンペーパー内で、単一の形状であってもよく、または複数の形状を有してもよい。
【００２８】
本発明のエンボスは、エンボス領域の多角形の辺と、非エンボス領域に隣接したエンボスの多角形の辺の少なくとも一辺とが平行ではないように、エンボス領域内に配置される。これにより、エンボス領域の多角形の辺の少なくとも一部が鋸歯状を形成し、汚れのかきとり性能が向上する。また、非エンボス領域から到達する液体は、エンボス領域の該鋸歯部位でエンボスの多角形の角と接することとなり、毛管現象によりエンボス領域内にすばやく吸収される。
【００２９】
本発明の非エンボス領域は、エンボスを有さない、該エンボス領域に隣接する領域である。本明細書において、「非エンボス」および「エンボスを有さない」とは、エンボスの多角形の外接円の直径ａの１．０倍以上の間隔でエンボスが形成されていないことをいう（図３参照）。
【００３０】
非エンボス領域の幅は、エンボスの多角形の外接円の直径ａの１．０倍以上である。好ましくは２．０ｍｍ〜５．０ｍｍである。また、非エンボス領域の幅は、単一のキッチンペーパー内で、単一の幅であってもよく、または異なる複数の幅を有してもよい。
【００３１】
前記エンボス領域と前記非エンボス領域は、少なくともその一部が、前記衛生用紙の巻き取り方向に沿って、交互に配置される。好ましくは、エンボス領域と非エンボス領域が衛生用紙の巻き取り方向に沿って交互に配置された部分において、前記エンボス領域は衛生用紙の巻き取り方向の幅が１０ｃｍ以下である。  非エンボス領域は、好ましくは、キッチンペーパーの長手方向または幅方向の少なくともいずれか一方において、一端からもう一端へ屈曲しながら連通する。非エンボス領域が屈曲しながら連通することにより、キッチンペーパーが折れ曲がりにくく、拭き取りやすい形状を保持することができる。
【００３２】
本発明のキッチンペーパー１０は、複数のエンボスを形成した第１のエンボス領域および前記第１のエンボス領域に隣接する第１の非エンボス領域を有する第１のシート２０Ａと、複数のエンボスを形成した第２のエンボス領域および前記第２のエンボス領域に隣接する第２の非エンボス領域を有する第２のシート２０Ｂとが重ね合わせられ、前記エンボスの頂面を介して接合されて、形成される。本発明のキッチンペーパーは、好ましくは、ネステッド形式（図４ａ）、またはティップトゥティップ形式（図４ｂ）で積層し、接合される。当該接合部は、好ましくは、前記凸部の頂面に接着剤が塗布され、他のシートに接着している。
【００３３】
平面視におけるエンボス領域と非エンボス領域との面積の比の平均は、２．５：１〜３．５：１である。好ましくは、２．７：１〜３．３：１である。
【００３４】
図４に示されるように、平面視において、第１のシート２０Ａと第２のシート２０Ｂとのそれぞれの非エンボス領域が重なる部分の面積をＳａとすると、本発明において、キッチンペーパーの面積Sにおける面積Ｓａの割合Ｓａ／Ｓの平均は１０％〜３５％である。Ｓａ／Ｓが１０％より大きい場合、当該キッチンペーパーの接合に関与しない表面が巻き取り時のシートのひっぱりやゆがみを吸収するのに十分なものとなる。一方、Ｓａ／Ｓが３５％より小さい場合には、シート間に十分な接合面積が確保され、使用時に十分な強度と吸収性を付与することができる。好ましくは１７％〜２９％である。
【００３５】
また、本実施形態に係るキッチンペーパーは、公知のスチールラバー式のエンボス付与方法によるクレープ紙へのエンボス付与より製造することができる。
【００３６】
さらに、上述の実施態様ではキッチンペーパーを例示したが、その他の衛生用紙、例えばトイレットペーパーにも適用可能である。
【符号の説明】
【００３７】
１０    衛生用紙（キッチンペーパー）
２０Ａ  第１のシート
２０Ｂ  第２のシート
３０    脆弱線
１００  ロールペーパー
【図１】
2019157319.tif 000003
【図２】
2019157319.tif 000004
【図３】
2019157319.tif 000005
【図４】
2019157319.tif 000006
【図５】
2019157319.tif 000007